(57)【要約】【課題】  専門的な知識やテクニックが無くても、様々な構図の写真を手軽にプリント出来る手段と、それに適したＵＩを提供することを目的とする。【解決手段】  撮影者が撮りたいと思う写真の構図を予め設定して撮影を行なうと、設定した構図に合わせてカメラが自動でトリミングを行なう。その際、設定した構図の切り出しを行うために必要な画角を判定する手段と、必要な画角が得られない場合には、カメラ側が自動でズームアウトを行い、必要な画角の画像を取り込む手段と、前記カメラ側が自動でズームアウトを行なった際も、ファインダーの画像（または液晶モニタ）の画像はズーミングしない手段を持つ。【選択図】  図１１
2007060265.tif 000002
【特許請求の範囲】
【請求項１】
画像撮影装置であって、
構図を設定する手段と、
画像内の人物や物などのオブジェクトを判別する手段と、
前記設定された構図と、現在のズーム値設定により得られる画像とを比較する手段と、
前記比較の結果、現在のズーム値設定により得られる画像範囲から、前記設定した構図の切り出しが可能な場合にはそのまま撮影した上で、撮影した画像データに前記設定した構図を切り出すためのトリミング範囲情報を付加する手段と、
前記比較の結果、現在のズーム値設定により得られる画像範囲から、前記設定した構図の切り出しが不可能な場合で、且つ前記撮影装置のレンズをズームアウトすることで、前記設定した構図の写真を撮影可能と判断した場合には、前記設定した構図を実現するために必要な画角が得られるところまで前記撮影装置のレンズをズームアウトし、撮影した画像データに前記設定した構図を切り出すためのトリミング範囲情報を付加する手段と、
を持つことを特徴とした画像撮影装置。
【請求項２】
請求項１に述べたような画像撮影装置であって、
且つ、
前記比較により、現在のズーム値設定により得られる画像範囲が、設定した構図の切り出しを行なう上で充分な画角を得ておらず、且つ前記撮影装置のレンズをズームアウトしても前記設定した構図が実現不可能と判断された場合には、ユーザに警告を促すことを特徴とした画像撮影装置。
【請求項３】
請求項１に述べたような画像撮影装置であって、
且つ、
前記トリミング範囲情報に応じて印刷データを切り出し、切り出された範囲の画像情報だけ印刷装置に送る手段を持つことを特徴とした画像撮影装置。
【請求項４】
請求項１に述べたような画像撮影装置と接続される印刷装置であって、
且つ、
前記トリミング範囲情報を含む画像データを受信し、
前記トリミング範囲情報にしたがって受信画像データから印刷領域画像をトリミングして出力する手段を持つもの。
【発明の詳細な説明】
【技術分野】
【０００１】
本発明は、画像撮影装置の自動トリミング機能とそのUI（User Interface）に関するものであり、特にユーザの希望する構図の画像を撮影するために、自動でトリミングする手段をもった画像撮影装置に関するものである。
【背景技術】
【０００２】
以下に添付図面を参照して、従来例について説明する。
【０００３】
図９は、デジカメで撮影した画像からユーザが所望の範囲をトリミングして画像を切り出す手段を持ったトリミング機能付きデジタルカメラ901において、撮影画像９０２から、トリミング範囲903を指定して、画像904を切り出す場合の例を示した図である。
【０００４】
以下、ユーザが前記画像のトリミング機能を持ったデジタルカメラを用いて画像を撮影し、所望の画像範囲を切り出して印刷出力する場合の動作について説明する。
【０００５】
まずユーザは撮影したいと思う画像をトリミング機能付きデジタルカメラで撮影する。この時、最終的な画像の構図は、あまり意識しなくとも良い。
【０００６】
撮影した画像は前記デジタルカメラの液晶表示部で確認することが出来る。
【０００７】
撮影した画像をトリミングしたい場合は、操作キーを使って前記液晶表示部に撮影済画像を表示させた後、さらに操作キーによってトリミングする範囲を示すトリミング枠を表示させる。
【０００８】
トリミング枠は、操作キーによって位置と大きさを自由に設定することが出来る。
【０００９】
ユーザは、所望のトリミング範囲をトリミング枠で囲ったら、前記操作キーによってトリミング範囲を決定する。
【００１０】
トリミング範囲が設定されると、トリミング範囲の情報が元の画像に付加される。
【００１１】
その後、外部から画像の印刷指示を受信した場合には、前記デジタルカメラは、トリミング範囲の情報に従って画像をトリミングし、トリミング後の画像データを印刷装置に送信する。
【００１２】
このようにして、従来のトリミング機能付きデジタルカメラはトリミング機能を実現していた。
【００１３】
上記処理の流れを、図１０に示す。
【００１４】
しかしながら、このような従来方式のトリミング機能では、撮影した画像より外側にトリミング範囲を設定することは出来ず、自分が撮りたいと思う構図の画像をトリミングにより切り出せない場合も多かった。
【００１５】
従来例としては、例えば特許文献１をあげることが出来る。
【特許文献１】特開２００２−１８２２９９号公報
【発明の開示】
【発明が解決しようとする課題】
【００１６】
本発明はこの点に鑑みたもので、撮影前に予め撮影したい画像の仕上がり構図を設定し、撮影時に、前記設定構図を実現するために必要な画角を得られるよう、デジタルカメラが自動でズームアウトする手段を持つことにより、所望のトリミング結果を得易くするものである。
【課題を解決するための手段】
【００１７】
上記目的を達成する本発明の画像撮影装置は以下に示す構成を備える。即ち、画像撮影装置であって、構図を設定する手段と、画像内の人物や物などのオブジェクトを判別する手段と、前記設定された構図と、現在のズーム値設定により得られる画像とを比較する手段と、前記比較の結果、現在のズーム値設定により得られる画像範囲から、前記設定した構図の切り出しが可能な場合にはそのまま撮影した上で、撮影した画像データに前記設定した構図を切り出すためのトリミング範囲情報を付加する手段と、前記比較の結果、現在のズーム値設定により得られる画像範囲から、前記設定した構図の切り出しが不可能な場合で、且つ前記撮影装置のレンズをズームアウトすることで、前記設定した構図の写真を撮影可能と判断した場合には、前記設定した構図を実現するために必要な画角が得られるところまで前記撮影装置のレンズをズームアウトし、撮影した画像データに前記設定した構図を切り出すためのトリミング範囲情報を付加する手段と、を持つ。
【発明の効果】
【００１８】
以上述べたように本発明によれば、現在得ている画像範囲が、設定した構図の切り出しを行なう上で充分な画角を得ておらず、且つ前記撮影装置のレンズをズームアウトすることで、前記設定した構図を実現可能と判断された場合には、前記設定した構図を実現するために必要な画角が得られるところまで前記撮影装置のレンズを自動的にズームアウトし、撮影した画像データから前記設定した構図を切り出すためのトリミング範囲情報を付加することで、ユーザの所望する構図の画像を撮影出来るようにしたものである。
【発明を実施するための最良の形態】
【００１９】
かかる構成において、前記比較の結果、現在のズーム値設定により得られる画像範囲から、前記設定した構図の切り出しが不可能な場合で、且つ前記撮影装置のレンズをズームアウトすることで、前記設定した構図の写真を撮影可能と判断した場合には、前記設定した構図を実現するために必要な画角が得られるところまで前記撮影装置のレンズをズームアウトし、撮影した画像データに前記設定した構図を切り出すためのトリミング範囲情報を付加することで、ユーザの所望する構図の画像を撮影出来るようにしたものである。
【実施例１】
【００２０】
以下に添付図面を参照して、本発明の好適な実施例について説明する。
【００２１】
図１は、本発明を適用したデジタルカメラ１０１で撮影した画像をプリンタ１０２で印刷出力する場合の接続例を示した図である。
【００２２】
同図において、本発明を適用したデジタルカメラ101とプリンタ102は、USBケーブル103で接続され、デジタルカメラ１０１の操作部４０１から印刷指示を行なうと、設定に応じてトリミングされたデータがプリンタ１０２に対して出力されるものである。
【００２３】
図１１に本発明を適用したデジタルカメラ１０１のコントローラ１１００のブロック図を示す。
【００２４】
同図において、１１０１はユーザが画像のトリミングを指定した際に、外部メモリ１１１１に格納された撮影済画像データから、トリミング範囲してされた領域の画像を切り出し、再度外部メモリ１１１１に格納する。
【００２５】
１１０２は撮影された画像に、どの様なオブジェクト（人物、海、山、建物など）があるかを画像認識して判定するブロックである。
【００２６】
１１０３はROMで、デジタルカメラ１０１の制御プログラムなどを格納する。
【００２７】
１１０４はRAMでCPU１１０６が動作する際のワークメモリとして使用される他、画像の圧縮・伸張ブロック１１０７のワークメモリ等としても使用される。
【００２８】
401は操作キーで、ユーザがデジタルカメラの各種設定を行ったり、トリミング枠を設定したりする。
【００２９】
１１１１は外部メモリで、撮影した画像データを格納する。
【００３０】
１１０８はUSB I/F部で、プリンタ等の外部機器と接続する際に使用する。
【００３１】
１１０９はカメラ制御部で、ズームイン・ズームアウト機能を持つレンズや、シャッター、絞り、フラッシュといったカメラの各種機能の集合体を指している。
【００３２】
図２において、本発明を適用したデジタルカメラ１０１を用いて、構図２０１の様な構図の写真を撮影したいと考えた場合、前記デジタルカメラ１０１に予め登録されている構図を操作キー４０１を使って選択する。この時、選択可能な構図の例を図３に示す。
【００３３】
ユーザは撮影に先立って、構図３０１，３０２，３０３，３０４，３０５，３０６の中から自分の希望する撮影構図に近いものを選択する。
【００３４】
構図の選択は、液晶表示部４０２に表示される構図を見ながら十字設定キー４０１によって選択し、設定する。（図4）
以上の様にして、ユーザは撮影したい写真の構図を、操作キー４０１でデジタルカメラ１０１に設定し、それからシャッターボタンを押すと、撮影される画像内の人物や物などのオブジェクトをオブジェクト判別部１１０２が判別し、現在のズーム値設定により得られる画像範囲から、前記設定した構図の切り出しが可能かどうかを判断する。
【００３５】
A.  現在得ている画像範囲が、設定した構図の切り出しを行なう上で充分な画角を得ている場合にはそのまま撮影を行うべく、カメラ制御部１１０９にシャッターを切る指示を出す。その後、撮影した画像データから前記設定した構図を切り出すためのトリミング範囲情報をトリミング加工部１１０２が画像データに付加して外部メモリ１１１１に記録する。
【００３６】
B.  一方、前記比較により、オブジェクト判定部１１０２が現在得ている画像範囲が設定した構図の切り出しを行なう上で充分な画角を得ていないと判断された場合は、前記撮影装置のレンズをズームアウトすることで前記設定した構図を実現可能かどうかを判断する。
【００３７】
B-1.  前記撮影装置のレンズをズームアウトすることで、前記設定した構図を実現可能と判断された場合には、前記設定した構図を実現するために必要な画角が得られるところまで前記撮影装置のレンズをズームアウトして撮影するよう、カメラ制御部１１０９に指示を出す。その後、撮影した画像データから前記設定した構図を切り出すためのトリミング範囲情報をトリミング加工部１１０２が付加して外部メモリ１１１１に記録する。
【００３８】
B-2.  オブジェクト判定部１１０１が、前記撮影装置のレンズをズームアウトしても、前記設定した構図を実現不可能と判断された場合には、ユーザに音声やアラーム音などで警告し、撮影は行なわない。（撮影を強行するかどうかを、ユーザに確認する様に構成することも可能）
以上の手順を図５、および図６のフローチャートに示す。
【００３９】
デジタルカメラ１０１とプリンタ１０２を接続し、画像を印刷する場合、デジタルカメラ１０１は、外部メモリ１１１１に記録された画像データにトリミング範囲の情報が付加されているかどうかを確認し、もしトリミング情報が記録されていれば、その情報に従って画像をトリミングし、トリミング後のデータをUSB I/F部１１０８を介してプリンタ１０２に送信する。
【００４０】
外部メモリ１１１１に記録された画像データにトリミング範囲の情報が付加されていなかった場合には、画像データをトリミング加工することなく、そのままプリンタ１０２に送信する。
【００４１】
プリンタは受信したトリミング済の画像データをそのまま印刷出力する。
以上のカメラ側の処理を図８に示す。
【００４２】
一方、デジタルカメラ１０１とプリンタ１０２を接続して画像を印刷する場合、トリミング加工部１１０１が付加したトリミング範囲情報を基に、プリンタ側がトリミング加工を行なう構成にしても良い。
【００４３】
その場合、トリミング情報を含む画像データがプリンタ側に転送されると、プリンタは受信した画像データにトリミング情報が付加されているかどうかを判断する。
【００４４】
もしトリミング情報が付加されていれば、トリミング情報に従って画像データをトリミング加工し、印刷出力する。
【００４５】
以上のプリンタ側の処理を図７に示す。
【００４６】
尚、以上の実施例はデジタルカメラの場合を例にあげて説明したが、本発明の適用範囲はこれに限定されるものではない。他の撮影装置に本発明を適用することも可能である。
【図面の簡単な説明】
【００４７】
【図１】本発明を適用したデジタルカメラとプリンタの接続例を示す図である。
【図２】ユーザの希望する構図を示した図である。
【図３】本発明を適用したデジタルカメラにおいて、設定可能な撮影構図を示した図である。
【図４】本発明を適用したデジタルカメラにおいて、構図を設定する様子を示した図である。
【図５】本発明を適用したデジタルカメラにおける撮影手順を示した図である。
【図６】本発明を適用したデジタルカメラにおける撮影時のフローチャートである。
【図７】本発明を適用したデジタルカメラとプリンタを接続した場合において、プリンタ側でトリミング処理を行なう場合の処理フローチャートである。
【図８】本発明を適用したデジタルカメラとプリンタを接続した場合において、デジタルカメラ側でトリミング処理を行なう場合の処理フローチャートである。
【図９】従来例を示す図である。
【図１０】従来例におけるトリミング処理時のフローチャートである。
【図１１】本発明を適用したデジタルカメラのコントローラブロック図である。
【符号の説明】
【００４８】
１０１  デジタルカメラ
１０２  プリンタ
１０４  USBケーブル
２０１  撮影構図
３０２  撮影構図
３０３  撮影構図
３０４  撮影構図
３０５  撮影構図
３０６  撮影構図
４０１  十字操作キー
４０２  液晶表示部
５０１  ズームアウト後の撮影範囲
５０２  液晶表示部に表示される画像範囲
５０３  ズームアウト・トリミングされた画像
６０１  フローチャート
６０２  フローチャート
６０３  フローチャート
６０４  フローチャート
６０５  フローチャート
６０６  フローチャート
６０７  フローチャート
６０８  フローチャート
６０９  フローチャート
６１０  フローチャート
６１１  フローチャート
６１２  フローチャート
７０１  フローチャート
７０２  フローチャート
７０３  フローチャート
７０４  フローチャート
８０１  フローチャート
８０２  フローチャート
８０３  フローチャート
８０４  フローチャート
９０１  従来例のデジタルカメラ
９０２  液晶表示部の画像
９０３  トリミング範囲
９０４  トリミング後の画像
１００１  フローチャート
１００２  フローチャート
１００３  フローチャート
１００４  フローチャート
１００５  フローチャート
１００６  フローチャート
１００７  フローチャート
１００８  フローチャート
１１０１  トリミング加工部
１１０２  オブジェクト判定部
１１０３  ROM
１１０４  RAM
１１０５  操作パネル
１１０６  CPU
１１０７  圧縮・伸張部
１１０８  USB I/F部
１１０９  カメラ制御部
【図１】
2007060265.tif 000003
【図２】
2007060265.tif 000004
【図３】
2007060265.tif 000005
【図４】
2007060265.tif 000006
【図５】
2007060265.tif 000007
【図６】
2007060265.tif 000008
【図７】
2007060265.tif 000009
【図８】
2007060265.tif 000010
【図９】
2007060265.tif 000011
【図１０】
2007060265.tif 000012
【図１１】
2007060265.tif 000013